(57)【要約】      （修正有）【課題】災害時の非常用トイレの糞尿処理袋として、安全性を保持して便器へのセットがし易く、用便時の開口部が十分確保できて、使用感が良く、かつ、軽量、携帯可能なコンパクトで安価な非常用糞尿処理袋を提供する。【解決手段】二点の部品を組み立てるだけで、便座シート付き糞尿処理袋が完成する態様である。つまり、四角形袋の入り口が同等の面積を有する二つの片に形成し、該片にそれぞれ便座シートを差し込むためのポケットを保持する。この際、連続して成る一枚の便座シートをポケットに係止する為には、ポケットの差し込み口が向き合う方向で配置する。このポケットに便座シートを挿入し、袋の底部を便座シートの中央穴部を通過させ止まるまで引っ張ると両者はしっかりと係止する。この状態で全体を反転すると使用状態となり、強度、安定性、美観に優れ、用便時の開口部面積と安全性を十分確保でき、コストも抑制できる。【選択図】図４
0003144187.tif 000002
【実用新案登録請求の範囲】
【請求項１】
四角形袋の入り口が同等の面積を有する二つの片から成り、該片のそれぞれに連続して成る一枚の便座シートを差し込んで係止する為のポケットを有する事を特徴とする非常用糞尿処理袋。
【請求項２】
前記、請求項１記載の非常用糞尿処理袋で、連続して成る一枚の便座シートを差し込んで係止する為のポケットは、糞尿処理袋の内側同士または外側同士の何れかで、袋の入り口を広げて便座シート装着時のポケットの差し込み口が向き合う方向の構造である事を特徴とする非常用糞尿処理袋。
【請求項３】
前記、請求項１及び２記載の非常用糞尿処理袋で、連続して成る一枚の便座シートの両端を二つのポケットに差し込んだ後、糞尿処理袋の底部を便座シートの中央穴部を通過させて止まる点まで引っ張る事で、袋のポケットと連続して成る一枚の便座シートをしっかりと係止する構造である事を特徴とする非常用糞尿処理袋。
【請求項４】
前記、請求項１、２及び３記載の非常用糞尿袋で、連続して成る一枚の便座シートは中央部から二つに折り畳みできることを特徴とする非常用糞尿処理袋。
【考案の詳細な説明】
【技術分野】
【０００１】本考案は非常用糞尿処理袋に関する。
【背景技術】
【０００２】非常用トイレとして糞尿処理袋があるが、いわゆるポリ袋をポータブルトイレや介護用トイレ等にセットして使用するものが多い。この際、袋のみだとセットがし難くかったり、外れやすかったりし、後処理も面倒である。便座シート付き糞尿処理袋は取り付けは簡単であるが、価格が高い為になかなか普及しにくいのが現実である。又、非常用携帯トイレとしては、嵩が張ることや、便座椅子の運搬や保管が難しいので、普及が進んでいない状態である。【０００３】従来、非常用トイレとしての糞尿処理袋では、便座シートを処理袋に保持する事が難しいばかりでなく、袋の開口部を十分確保する為に製作工程が複雑になってコストが高くなった。そこで、災害時の非常用として、使い易く、強度が充分あって嵩張らず、安全性が高く、しかも折り畳み可能で軽量、安価な非常用糞尿袋の提供が望まれていた。
【考案の開示】
【考案が解決しようとする課題】
【０００４】本考案は災害時の非常用トイレの糞尿処理袋として、便器へのセットが容易い事。開口部を十分確保できて使用感が良いもの。しかも、便座が折り畳み可能で安全で軽量、安価な非常用糞尿処理袋の提供にある。
【課題を解決するための手段】
【０００５】上記の課題を解決すべく本考案者らは鋭意検討した結果、上記の課題は次のような手段によって解決することがわかった。
即ち、四角形袋の入り口が同等の面積を有する二つの片に形成し、該片それぞれに便座シートを差し込むためのポケットを保持する。この際、連続して成る一枚の便座シートをポケットに係止する為には、ポケットの差し込み口が向き合う方向で設置する。四角形袋のポケットに便座シートを装着したら、袋の底部を便座シートの中央穴部を通過させ止まる点まで引っ張ると、便座シートとポケットがしっかり係止する。この状態になると、差し込み口が便座シートの裏方向となり、強度、美観に優れ、使用時の開口部面積も十分確保できる。また、便座シートと糞尿袋の接続に接着剤や接続器具を使用せずに係止する構造にした事で、安全性と作業効率が向上し、コストを抑制する事が出来る。更に、連続して成る一枚の便座シートは中央部から折り畳みができる構造にすることで、上記課題を解決できることがわかった。
【考案の効果】
【０００６】本考案は、非常用の便座シート付き糞尿処理袋において、袋の入り口が同等の面積を有する二つの片にポケットを設置し、該ポケットに連続して成る一枚の便座シートを差し込んで、袋の底を便座シートの穴を通過させて引っ張り上げると袋と便座シートが係止できる構造である。本法は袋のポケットに便座シートを差し込んで、引っ張り上げるだけの操作で、接着剤や器具を使用することもなく袋と便座シートの係止が可能である。この時、袋の底を便座シートの穴部を通過させて反対側に引っ張ることで、穴部と袋の壁が密着して用便の為の開口部を十分確保できる。又、便座シートを中央部で折り畳みできる構造にした事で、軽量、小寸法の糞尿処理袋となった。安価で省スペースの糞尿処理袋は、非常時への備蓄に好適でトイレ不足解消とトイレの快適性向上等に結びつけることが可能となる。
【考案を実施するための最良の形態】
【０００７】本考案は、四角形袋の入り口の開口面に、二か所に垂直の切れ目を入れて、ほぼ同面積の二つの片を作る。該片それぞれの先端を袋の内又は外のいずれかの同方向に折り返し、差し込み口が袋の底方向になる様にポケットを形成する。これとは別に用意した、中央部から折り畳みができる連続して成る一枚の便座シートを、先の二つのポケットに差し込む。この際、ポケットが袋の内、外のどちらに在るかによって異なるが、いずれの場合も袋の底を便座シートの穴を通過させて引っ張り上げることで、袋と便座シートをしっかりと係止でき、更に、用便時の開口部を十分確保できる態様である。
最終的な形態は図４の状態となる。
【実施例１】
【０００８】以下、本考案を図面を用いて詳細に説明する。
図１は本考案の部品見取り図である。四角形袋１の入り口に二本の切れ目を入れて、ほぼ同面積の二つの片を作り、ぞれぞれの先端を袋の内側に折り曲げ、差し込み口１−３を袋の底１−４方向になるように片の両端１−２を閉じてポケット１−１を設けた見取り図である。また、便座シート２は中央部が二つに折り畳み２−２でき、中央穴部２−１を有し連続して成る一枚の板状態である。【０００９】図２は図１の四角形袋１のポケット１−１の差し込み口１−３に、便座シート２の端部２−３を二か所のポケットに差し込んで組み合わせ、糞尿処理袋にする途中の見取図である。【００１０】図３は図２の状態から、袋の底部１−４を便座シート２の中央穴部２−１を通過させて引っ張り出すと便座シート２とポケット１−１がしっかりと係止され、用便時の便座シートは袋で覆われ、袋のポケット差し込み口１−３が裏側になり使用感も美観も良く、用便時の開口も十分となる態様の見取図である。【００１１】図４は図３で組み立てた糞尿処理袋を便器に設置する方向にした時の見取図である。【００１２】図５、図６は糞尿処理袋の断面図である。【００１３】図７は糞尿処理袋の便座シート２の中央折り畳み部２−２から折り畳んだ状態の見取図である。
【実施例２】
【００１４】図７は本考案の糞尿処理袋を折り畳んだ状態であるが、これを非常用持ち出し袋３８０ｍｍ×３００ｍｍ×１００ｍｍに収納できる事が判った。パイプ式や段ボールの組み立て便器やポンチョ等と一緒に非常用持ち出し袋に収納すれば、避難用としての活用の場が大きく広がる事が期待できる事が判った。【００１５】図１から図７の本考案の材質と寸法について以下に説明する。
四角形袋１は２００ｍｍ〜３６０ｍｍ×３００〜５００ｍｍで、ポケット１−１は２００ｍｍ〜３６０ｍｍ×４０ｍｍ〜８０ｍｍの大きさが好ましく、片の両端１−２はヒートシールが好ましく、材質は、ポリエチレン、ポリプロピレン等が適していて、さらに炭酸カルシウムやカーボンなどで着色して内容物が見えないようにしたものが好ましい。便座は折り畳みを広げた状態で２００ｍｍ〜３５０ｍｍ×２００ｍｍ〜３５０ｍｍで、中央に１８０ｍｍ〜２４０ｍｍの円空または楕円空等を形成し、中央から二つ折りの構造にする。材質は段ボール、白ボール紙、黄ボール等の紙材が好ましい態様である。
【産業上の利用可能性】
【００１６】震災などで被災した場合には水道や電気など、いわゆるライフラインが遮断される事が想定される。特に、都市部では非常時の排泄物の処理が深刻な問題である。このような状況のために、安価で軽量、コンパクトで嵩張らず、折り畳み糞尿処理袋の提供は利便性だけでなく、トイレ不足解消のために省スペースで備蓄できるので普及が見込める。また、非常持ち出し袋の中に入れて、携帯用として備えることができるので利用範囲が広がった。
【図面の簡単な説明】
【００１７】
【図１】糞尿処理袋の部品見取り図
【図２】糞尿処理袋のポケットに便座シートを差し込んだ状態の見取り図
【図３】図２の糞尿処理袋の底部を便座シート穴部を通過させて引っ張り上げた状態の見取り図
【図４】図３の状態を反転させ、使用状態にした糞尿処理袋の見取り図
【図５】糞尿処理袋の断面図
【図６】糞尿処理袋の断面図
【図７】糞尿処理袋の便座シート中央部を折り畳んだ状態の見取り図
【符号の説明】
【００１８】１            ：四角形袋（糞尿処理袋）
１−１        ：ポケット
１−２        ：片の両端（シール部）
１−３        ：差し込み口
１−４        ：四角形袋の底部
２            ：便座シート
２−１        ：中央穴部
２−２        ：中央折り畳み部
２−３        ：便座シート端部
【図１】
0003144187.tif 000003
【図２】
0003144187.tif 000004
【図３】
0003144187.tif 000005
【図４】
0003144187.tif 000006
【図５】
0003144187.tif 000007
【図６】
0003144187.tif 000008
【図７】
0003144187.tif 000009